(57)【要約】【課題】校正のためのコストを低減しつつ、黒体炉が汚損するおそれを低減することができる放射温度計用校正治具を提供する。【解決手段】開口部２１を有する黒体空洞２２を備えた黒体炉２と、一端が黒体炉２に連結されると共に開口部２１が開口する方向と交差する方向に延びる支持棒３と、開口部２１を塞ぐための蓋体４と、一端に蓋体４が取り付けられた蓋操作棒５と、蓋操作棒５を、支持棒３に対して略平行に保持し、かつ蓋操作棒５の軸方向に沿って蓋操作棒５をスライド移動可能に支持する支持部材６１，６２，６３とを備え、蓋体４は、蓋操作棒５のスライド移動に応じて、開口部２１を塞ぐ閉塞位置と、開口部２１を開放する開放位置との間で移動可能にされている。【選択図】図１
0003205727.tif 000002
【実用新案登録請求の範囲】
【請求項１】
黒体として擬似的に機能すると共に外部に向けて開口する開口部を有する黒体空洞を備えた黒体炉と、
一端が前記黒体炉に連結されると共に前記開口部が開口する方向と交差する方向に延びる支持棒と、
前記開口部を塞ぐための蓋体と、
一端に前記蓋体が取り付けられた蓋操作棒と、
前記蓋操作棒を、前記支持棒に対して沿わせるように保持し、かつ前記支持棒の軸方向に沿って前記蓋操作棒をスライド移動可能に支持する支持部材とを備え、
前記蓋体は、前記蓋操作棒のスライド移動に応じて、前記開口部を塞ぐ閉塞位置と、前記開口部を開放する開放位置との間で移動可能にされている放射温度計用校正治具。
【請求項２】
前記開口部の周縁の端面は、平坦な平坦面に沿う形状を有し、
前記平坦面の垂線と、前記蓋操作棒の軸線とがなす角は、前記開口する方向側で、直角より小さくされており、
前記蓋体は、前記平坦面と平行であって、前記開口部を塞ぐための閉塞面を有する請求項１記載の放射温度計用校正治具。
【請求項３】
前記蓋体が前記閉塞位置に位置したときに前記閉塞面で前記開口部を密閉するためパッキンをさらに備える請求項１又は２記載の放射温度計用校正治具。
【請求項４】
前記支持棒の他端側には、ユーザが把持するための把持部が設けられている請求項１〜３のいずれか１項に記載の放射温度計用校正治具。
【請求項５】
前記支持部材は、
前記支持棒の周面から、前記支持棒と直交し、かつ前記開口部が開口する方向側に突出する少なくとも第一支持部材と第二支持部材とを含み、
前記第一支持部材と前記第二支持部材とは、前記支持棒の軸線方向に互いに離間して配置され、
前記第一支持部材には、当該第一支持部材を、前記支持棒の軸線方向に貫通する第一案内孔が形成され、
前記第二支持部材には、当該第二支持部材を、前記支持棒の軸線方向に貫通する第二案内孔が形成され、
前記蓋操作棒は、前記第一案内孔及び前記第二案内孔に挿通されている請求項１〜４のいずれか１項に記載の放射温度計用校正治具。
【請求項６】
前記第一案内孔は、前記第一支持部材の突出方向に長尺の形状を有し、
前記蓋操作棒には、
前記第一支持部材よりも前記黒体炉側において、前記蓋体を前記閉塞位置に位置させたときに前記突出方向となる突起方向に突設され、かつ前記第一案内孔と干渉する第一ストッパと、
前記第一支持部材の、前記第一ストッパとは反対側において、前記突起方向に突設され、かつ前記第一案内孔と干渉する第二ストッパと、
前記突起方向に突設され、かつ前記第一案内孔を貫通して前記第一ストッパと前記第二ストッパとをつなぐように当該蓋操作棒に延設された突条とが形成されている請求項５記載の放射温度計用校正治具。
【請求項７】
前記第二案内孔に挿通された前記蓋操作棒を、前記支持棒へ向かって付勢する付勢部をさらに備える請求項５又は６記載の放射温度計用校正治具。
【請求項８】
前記支持棒に対してスライド移動可能に外嵌された、筒状の形状を有する筒状部材をさらに備え、
前記筒状部材は、前記蓋操作棒と連結され、
前記蓋操作棒は、前記筒状部材のスライド移動と連動して前記支持棒の軸方向に沿ってスライド移動する請求項１〜４のいずれか１項に記載の放射温度計用校正治具。
【請求項９】
前記蓋操作棒は、前記筒状部材と前記連結される連結部を中心に、前記支持棒に対して離接方向に揺動可能に連結され、
前記蓋操作棒は、前記蓋体が取り付けられた一端から前記連結部に至る第一軸部と、前記連結部から前記蓋体とは反対側に延びる第二軸部とを含み、
前記第二軸部は、前記第一軸部の延長線に対して前記支持棒から離間する方向に角度を有している請求項８記載の放射温度計用校正治具。
【請求項１０】
前記蓋体の外周に鍔状に設けられた鍔部をさらに備え、
前記鍔部は、前記蓋体で前記開口部を塞いだ状態で前記蓋操作棒に近づくほど前記黒体炉に近づくように傾斜している請求項９記載の放射温度計用校正治具。
【考案の詳細な説明】
【技術分野】
【０００１】
本考案は、放射温度計を校正するための放射温度計用校正治具に関する。
【背景技術】
【０００２】
従来より、温度測定の対象となる対象物から放射される、赤外線や可視光線の熱放射を測定することによって、対象物の温度を測定する放射温度計が広く用いられている。対象物から放射される熱放射は、同じ温度であってもその対象物の放射率によって異なる。そのため、放射温度計の校正を行うために、放射率の基準となる黒体を近似的に再現した黒体炉が用いられている。
【０００３】
ところで、例えば焼却炉、溶融炉等の各種の炉等では、炉内の測定対象物の温度を測定するために、炉壁などに放射温度計が取り付けられている。このような放射温度計を校正するために、放射温度計を炉壁などから取り外して校正後に再び取り付け直すのは煩雑である。
【０００４】
そこで、炉壁に校正装置を取り付けておき、校正を行う際には、校正装置に設けられた校正用テストピースを放射温度計の直下に引き出してその温度を放射温度計で測定することによって、放射温度計の校正を行う校正装置が知られている（例えば、特許文献１参照。）。
【先行技術文献】
【特許文献】
【０００５】
【特許文献１】特開昭５５−９９０３５号公報
【考案の概要】
【考案が解決しようとする課題】
【０００６】
しかしながら、炉壁に校正装置を取り付けると、その炉でしか校正装置を用いることができず、炉毎に校正装置を設ける必要があるので、コストの上昇を招く。また、炉に校正装置が取り付けられているので、炉で発生した塵や水蒸気がテストピースに付着することで汚損が生じ、校正の精度が低下するおそれがある。
【０００７】
本考案の目的は、校正のためのコストを低減しつつ、黒体炉が汚損するおそれを低減することができる放射温度計用校正治具を提供することである。
【課題を解決するための手段】
【０００８】
本考案に係る放射温度計用校正治具は、黒体として擬似的に機能すると共に外部に向けて開口する開口部を有する黒体空洞を備えた黒体炉と、一端が前記黒体炉に連結されると共に前記開口部が開口する方向と交差する方向に延びる支持棒と、前記開口部を塞ぐための蓋体と、一端に前記蓋体が取り付けられた蓋操作棒と、前記蓋操作棒を、前記支持棒に対して沿わせるように保持し、かつ前記支持棒の軸方向に沿って前記蓋操作棒をスライド移動可能に支持する支持部材とを備え、前記蓋体は、前記蓋操作棒のスライド移動に応じて、前記開口部を塞ぐ閉塞位置と、前記開口部を開放する開放位置との間で移動可能にされている。
【０００９】
この構成によれば、蓋操作棒をスライド移動させて、黒体炉の開口部を閉塞することができるので、黒体炉が塵や水蒸気等で汚損するおそれを低減することできる。また、黒体炉は、支持棒の先に取り付けられているので、ユーザは、支持棒を操作して黒体炉の開口部を放射温度計に向けることによって、放射温度計の校正を行うことができる。従って、黒体炉を炉壁などに固定的に取り付ける必要がないので、校正のためのコストを低減することができる。その結果、校正のためのコストを低減しつつ、黒体炉が汚損するおそれを低減することができる。
【００１０】
また、前記開口部の周縁の端面は、平坦な平坦面に沿う形状を有し、前記平坦面の垂線と、前記蓋操作棒の軸線とがなす角は、前記開口する方向側で、直角より小さくされており、前記蓋体は、前記平坦面と平行であって、前記開口部を塞ぐための閉塞面を有することが好ましい。
【００１１】
この構成によれば、開口部の周縁の端面が、支持棒及び蓋操作棒の方向に傾いているため、蓋操作棒をスライド移動させて蓋体を閉塞位置に位置させると、蓋体が周縁部に当接した際に、そのスライド移動方向の力が蓋体を周縁部の端面に押し付ける力に変換される。これにより、蓋体による開口部の密閉効果が向上する。
【００１２】
また、前記蓋体が前記閉塞位置に位置したときに前記閉塞面で前記開口部を密閉するためパッキンをさらに備えることが好ましい。
【００１３】
この構成によれば、開口部と蓋体との隙間がパッキンで埋められるので、蓋体による開口部の密閉効果が向上する。
【００１４】
また、前記支持棒の他端側には、ユーザが把持するための把持部が設けられていることが好ましい。
【００１５】
この構成によれば、ユーザによる支持部材の把持が容易となるので、放射温度計用校正治具の操作性が向上する。
【００１６】
また、前記支持部材は、前記支持棒の周面から、前記支持棒と直交し、かつ前記開口部が開口する方向側に突出する少なくとも第一支持部材と第二支持部材とを含み、前記第一支持部材と前記第二支持部材とは、前記支持棒の軸線方向に互いに離間して配置され、前記第一支持部材には、当該第一支持部材を、前記支持棒の軸線方向に貫通する第一案内孔が形成され、前記第二支持部材には、当該第二支持部材を、前記支持棒の軸線方向に貫通する第二案内孔が形成され、前記蓋操作棒は、前記第一案内孔及び前記第二案内孔に挿通されていることが好ましい。
【００１７】
この構成によれば、支持棒の軸線方向に互いに離間する二箇所で、第一案内孔及び第二案内孔によって、蓋操作棒が支持されるので、蓋操作棒を、支持棒に対して略平行に保持することが容易である。
【００１８】
また、前記第一案内孔は、前記第一支持部材の突出方向に長尺の形状を有し、前記蓋操作棒には、前記第一支持部材よりも前記黒体炉側において、前記蓋体を前記閉塞位置に位置させたときに前記突出方向となる突起方向に突設され、かつ前記第一案内孔と干渉する第一ストッパと、前記第一支持部材の、前記第一ストッパとは反対側において、前記突起方向に突設され、かつ前記第一案内孔と干渉する第二ストッパと、前記突起方向に突設され、かつ前記第一案内孔を貫通して前記第一ストッパと前記第二ストッパとをつなぐように当該蓋操作棒に延設された突条とが形成されていることが好ましい。
【００１９】
この構成によれば、蓋操作棒の黒体炉から遠ざかる方向の移動が、第一ストッパによって所定位置で停止され、蓋操作棒の黒体炉へ近づく方向の移動が、第二ストッパによって所定位置で停止されるので、第一ストッパと第二ストッパの取り付け位置を適宜設定することによって、蓋操作棒の移動範囲を適切に設定することが可能となる。さらに、蓋操作棒が回転しようとすると、突条が第一案内孔の内壁と干渉するので、蓋操作棒の回転が防止される。これにより、蓋体を、黒体空洞の開口部を閉塞可能な向きに維持することが可能となる。
【００２０】
また、前記第二案内孔に挿通された前記蓋操作棒を、前記支持棒へ向かって付勢する付勢部をさらに備えることが好ましい。
【００２１】
この構成によれば、蓋操作棒が支持棒へ向かって付勢される結果、蓋体を閉塞位置に位置させたとき、蓋体が黒体炉へ向けて押し付けられる。その結果、蓋体による黒体炉の密閉度が向上する。
【００２２】
また、前記支持棒に対してスライド移動可能に外嵌された、筒状の形状を有する筒状部材をさらに備え、前記筒状部材は、前記蓋操作棒と連結され、前記蓋操作棒は、前記筒状部材のスライド移動と連動して前記支持棒の軸方向に沿ってスライド移動することが好ましい。
【００２３】
この構成によれば、ユーザは、筒状部材を握ってスライド移動させることによって、蓋体を開閉することができる。
【００２４】
また、前記蓋操作棒は、前記筒状部材と前記連結される連結部を中心に、前記支持棒に対して離接方向に揺動可能に連結され、前記蓋操作棒は、前記蓋体が取り付けられた一端から前記連結部に至る第一軸部と、前記連結部から前記蓋体とは反対側に延びる第二軸部とを含み、前記第二軸部は、前記第一軸部の延長線に対して前記支持棒から離間する方向に角度を有していることが好ましい。
【００２５】
この構成によれば、ユーザが筒状部材を握る際に、第二軸部を一緒に握ることで、第二軸部が支持棒方向に押し下げられ、揺動軸を支点にして蓋操作棒が回動し、蓋体が黒体炉から離間する。この状態でユーザが第二軸部と共に筒状部材をスライド移動させることによって、蓋体が開放位置に移動する。この場合、蓋体と黒体炉とが、擦れたり干渉したりすることがないので、蓋体をスムーズに開放位置に移動させることができる。
【００２６】
また、前記蓋体の外周に鍔状に設けられた鍔部をさらに備え、前記鍔部は、前記蓋体で前記開口部を塞いだ状態で前記蓋操作棒に近づくほど前記黒体炉に近づくように傾斜していることが好ましい。
【００２７】
この構成によれば、蓋体に上から水滴が落ちた場合であっても、水滴が蓋操作棒側に流れ落ちるので、黒体炉内に水滴が落ちるおそれが低減される。
【考案の効果】
【００２８】
このような構成の放射温度計用校正治具は、校正のためのコストを低減しつつ、黒体炉が汚損するおそれを低減することができる。
【図面の簡単な説明】
【００２９】
【図１】本考案の第一実施形態に係る放射温度計用校正治具の構成の一例を示す斜視図である。
【図２】図１に示す蓋体を閉塞位置に位置させた状態を示す斜視図である。
【図３】放射温度計を校正する校正方法の一例を説明するための説明図である。
【図４】本考案の第二実施形態に係る放射温度計用校正治具の構成の一例を示す斜視図である。
【考案を実施するための形態】
【００３０】
以下、本考案に係る実施形態を図面に基づいて説明する。なお、各図において同一の符号を付した構成は、同一の構成であることを示し、その説明を省略する。
（第一実施形態）
【００３１】
図１は、本考案の第一実施形態に係る校正治具の構成の一例を示す斜視図である。図１に示す校正治具１は、放射温度計の校正に用いられる治具であり、放射温度計用校正治具の一例に相当している。
【００３２】
校正治具１は、黒体炉２、支持棒３、蓋体４、蓋操作棒５、支持部材６１，６２，６３、突条６４、パッキン７、及び付勢部８を備える。黒体炉２は、黒体として擬似的に機能すると共に外部に向けて開口する開口部２１を有する黒体空洞２２を備えている。黒体空洞２２は、例えば有底円筒形状の空洞とされている。開口部２１は、赤外線等の熱放射が透過可能な窓、例えばサファイア窓などで塞がれていてもよい。
【００３３】
黒体炉２は、図略の温度調節装置を備えており、黒体空洞２２の温度を適宜設定可能とされている。黒体炉２としては、例えばLumaSense Technologies Inc.製Mikron M316型を用いることができる。
【００３４】
開口部２１の周縁には、フランジ状の周縁部２３が設けられている。周縁部２３の端面２４は、仮想的な平坦面Ｆ１に沿うように平坦にされている。平坦面Ｆ１の垂線Ｖは、開口部２１が開口する側で支持棒３の方向に傾いている。すなわち、垂線Ｖと、蓋操作棒５の軸線とがなす角は、開口部２１が開口する方向側で、直角より小さくされている。
【００３５】
支持棒３は、例えば５００ｍｍ〜３０００ｍｍ程度、例えば１２００ｍｍ程度の長さの棒又はパイプである。支持棒３の軸線が、円筒状の黒体空洞２２の軸線に対して直交するように支持棒３の一端が黒体炉２の側壁に連結されている。
【００３６】
支持棒３の他端には、ユーザが把持するための把持部３１が設けられている。把持部３１は、例えばゴムなどの滑りにくく、握りやすい材料で、支持棒３の外周を覆うように取り付けられている。
【００３７】
支持部材６１，６２，６３は、支持棒３の側面の、開口部２１の開口方向側に突設されている。支持部材６３は、蓋操作棒５の直径よりも僅かに広い間隔を空けて平行に延びる一対の案内柱６３１，６３１と、案内柱６３１，６３１を根元側で連結する連結部６３２とを備えている。
【００３８】
支持部材６２は支持部材６３から把持部３１側に離間して立設され、支持部材６１は支持部材６２から把持部３１側に離間して立設されている。支持部材６１，６２には、支持棒３の軸線方向に貫通し、蓋操作棒５を挿通するための案内孔６１１，６２１が形成されている。支持部材６１、案内孔６１１は、第一支持部材、第一案内孔の一例にそれぞれ相当し、支持部材６２、案内孔６２１は、第二支持部材、第二案内孔の一例にそれぞれ相当している。
【００３９】
案内孔６１１，６２１は、支持部材６１，６２の突出方向に長尺の形状を有し、その幅は、蓋操作棒５の直径より僅かに大きくされている。
【００４０】
蓋操作棒５は、案内孔６１１，６２１に挿通され、案内柱６３１，６３１と連結部６３２とに案内されている。これにより、蓋操作棒５は、支持棒３に対して略平行に保持されている。また、蓋操作棒５は、蓋操作棒５の軸方向にスライド移動可能にされている。
【００４１】
蓋操作棒５の一端には蓋体４が連結され、蓋操作棒５の他端側にはユーザが操作するためのハンドル５４が取り付けられている。蓋操作棒５のスライド移動に応じて蓋体４が、後述する開放位置と閉塞位置との間を移動するようにされている。
【００４２】
蓋操作棒５の、支持部材６２と支持部材６１との間、すなわち支持部材６１よりも黒体炉２側には、蓋操作棒５の軸心と直交する方向であって、蓋体４を閉塞位置に位置させたときに支持部材６１，６２の突出方向となる突起方向に突設されたストッパ５１が設けられている。ストッパ５１は、案内孔６１１より大きくされており、支持部材６１と干渉するようにされている。
【００４３】
蓋操作棒５の、ハンドル５４と支持部材６１との間には、蓋操作棒５の軸心と直交する方向であって、かつストッパ５１と同じ方向に突出するストッパ５２が設けられている。ストッパ５２は、案内孔６１１より大きくされており、支持部材６１と干渉するようにされている。ストッパ５１は第一ストッパの一例に相当し、ストッパ５２は第二ストッパの一例に相当している。
【００４４】
ストッパ５１は、蓋体４が開放位置を通り過ぎて把持部３１側に行き過ぎないように、支持部材６１と干渉して蓋操作棒５を停止させる。ストッパ５２は、蓋体４が閉塞位置を通り過ぎて黒体炉２側に行き過ぎないように、支持部材６１と干渉して蓋操作棒５を停止させる。
【００４５】
突条６４は、ストッパ５１，５２と同じ方向に突出し、かつ案内孔６１１を貫通してストッパ５１とストッパ５２とをつなぐように蓋操作棒５の側面に延設されている。突条６４の突出長さと、蓋操作棒５の直径との合計は、案内孔６１１の幅よりも大きくされている。これにより、蓋操作棒５が回転しようとすると、突条６４が案内孔６１１の内壁と干渉するので、蓋操作棒５の回転が防止される。これにより、蓋体４を、黒体空洞２２の開口部２１を閉塞可能な向きに維持することが可能となる。
【００４６】
付勢部８は、案内孔６２１に挿通された蓋操作棒５を、支持棒３へ向かって付勢する。具体的には、付勢部８は、例えば案内孔６２１内に配設されている。付勢部８は、例えば案内孔６２１内で蓋操作棒５の側面に摺動可能に当接する当接板８１と、案内孔６２１の支持部材６１から遠い側の内壁と、当接板８１との間に配設され、当接板８１を支持部材６１へ向かって付勢するバネ８２とを備えている。
【００４７】
これにより、蓋操作棒５が支持棒３へ向かって付勢される結果、蓋体４を閉塞位置に位置させたとき、蓋体４が黒体炉２へ向けて押し付けられる。その結果、蓋体４による黒体炉２の密閉度が向上する。
【００４８】
図２は、図１に示す蓋体４を閉塞位置に位置させた状態を示す斜視図である。蓋体４は、例えば、円柱を斜めに切断して得られる形状を有しており、その切断面に相当する面が閉塞面４１とされている。閉塞面４１には、例えばゴムなどの弾性部材によって構成された板状のパッキン７が取り付けられている。これにより、蓋体４が閉塞位置に位置したとき、黒体空洞２２の周縁部２３の端面２４にパッキン７が当接し、開口部２１が、パッキン７を介して蓋体４の閉塞面４１で密閉されるようになっている。蓋体４が開口部２１を閉塞する位置が閉塞位置とされている。
【００４９】
このように、閉塞位置で開口部２１を密閉可能とするべく、蓋体４が閉塞位置に位置したとき、閉塞面４１が平坦面Ｆ１と平行となるように、閉塞面４１の傾斜角度が設定されている。
【００５０】
図１は、蓋操作棒５を、黒体炉２から遠ざかる方向に移動させて、蓋体４を開放位置に位置させた状態を示している。
【００５１】
次に、上述のように構成された校正治具１を用いて放射温度計を校正する校正方法について説明する。図３は、放射温度計を校正する校正方法の一例を説明するための説明図である。図３は、炉内で加熱対象物を加熱する炉１００内に取り付けられた放射温度計Ａの校正を行う場合を例示している。炉１００の下部には、加熱対象物が温度測定の対象となる対象物１０１として収納されている。
【００５２】
炉１００の上方内壁面には、放射温度計Ａが取り付けられている。放射温度計Ａは、対象物１０１から放射される熱放射を受光する受光部Ａ１を備えている。熱放射は、主に赤外線として放射され、１０００Ｋを超えるような高温の白熱体では可視光として放射される。放射温度計Ａは、受光部Ａ１で受光された熱放射に基づき、対象物１０１の温度を測定するようになっている。
【００５３】
炉１００の上方には、炉内の温度を調節するための散水装置１０２が配設されている。また、炉１００の内壁面には、放射温度計Ａの下方に、例えば放射温度計Ａの保守点検用に、開閉可能な窓１０３が設けられている。
【００５４】
校正治具１は、放射温度計Ａの校正を行わないときは、蓋体４を閉塞位置に位置させて黒体炉２の開口部２１を閉塞させた状態で保管されている。
【００５５】
炉１００が設置されているプラントの現場では、炉内の塵や散水装置１０２から散水された水が蒸発して生じた水蒸気などが存在している。そのため、現場環境に黒体炉を保管しておくと、黒体空洞に塵が付着したり黒体空洞が湿ったりすることで、黒体炉の放射率が変化し、放射温度計Ａの校正精度が低下してしまうおそれがある。黒体空洞を塞ぐように、赤外線を透過する赤外窓（例えばサファイア窓）が取り付けられている場合もあるが、赤外窓に塵や水滴が付着すれば、結局放射温度計Ａの校正精度が低下してしまう。
【００５６】
そこで、校正治具１によれば、放射温度計Ａの校正を行わないときは、蓋体４を閉塞位置に位置させて黒体炉２の開口部２１を閉塞させておくことができるので、塵や水蒸気によって放射温度計Ａの校正精度が低下してしまうおそれが低減される。特に、パッキン７が設けられていることにより、水蒸気の影響を低減する効果が向上する。
【００５７】
次に、放射温度計Ａの校正を行うときは、ユーザは、窓１０３を開け、把持部３１を把持して、蓋体４を閉塞位置に位置させたまま、黒体炉２を窓１０３から炉１００内に差し入れ、開口部２１が開口する方向に受光部Ａ１を位置させる（配置工程、図３参照）。配置工程では、図３に破線で示すように、蓋体４が閉塞位置に位置し、開口部２１が閉塞されている。
【００５８】
次に、ユーザは、蓋操作棒５をスライド移動させて蓋体４及びパッキン７を開放位置に位置させる（開放工程、図３参照）。これにより、開口部２１が放射温度計Ａの受光部Ａ１に向けて開放され、放射温度計Ａを校正することが可能となる。開放工程では、図３に実線で示すように、蓋体４が開放位置に位置し、開口部２１が開放されている。
【００５９】
次に、ユーザは、放射温度計Ａによって黒体炉２の温度を測定させ、その測定値に基づき放射温度計Ａを校正する（校正工程）。黒体炉２を用いた放射温度計Ａの校正方法としては、従来から知られている種々の校正方法を用いることができる。
【００６０】
次に、ユーザは、把持部３１を把持しつつ蓋操作棒５をスライド移動させて蓋体４及びパッキン７を閉塞位置に位置させ、開口部２１を閉塞する（閉塞工程）。平坦面Ｆ１の垂線Ｖが、開口部２１が開口する側で支持棒３の方向に傾いているため、蓋操作棒５をスライド移動させて蓋体４及びパッキン７を閉塞位置に位置させると、パッキン７が周縁部２３に当接した際に、そのスライド移動方向の力が蓋体４及びパッキン７を周縁部２３に押し付ける力に変換される。これにより、蓋体４及びパッキン７による開口部２１の密閉効果が向上する。
【００６１】
次に、ユーザは、校正治具１を窓１０３から引き抜いて炉１００から取り出し、窓１０３を閉じて校正作業を終了する（取出工程）。
【００６２】
配置工程、校正工程、閉塞工程、及び取出工程によれば、塵や水蒸気濃度の高い炉１００に黒体炉２を出し入れする際に、開口部２１が閉塞された状態で出し入れされるので、塵や水蒸気による黒体炉２の汚損が生じるおそれが低減され、ひいては放射温度計Ａの校正精度が低下するおそれが低減される。
【００６３】
また、黒体炉２が支持棒３の先端に取り付けられているので、放射温度計Ａを炉１００内に設置したまま、支持棒３の先の黒体炉２を炉１００内に差し入れて放射温度計Ａの校正を行うことができる。この場合、校正治具１を炉１００内に固定的に設置しておく必要がなく、一つの校正治具１を、複数の放射温度計Ａの校正に用いることができる。その結果、校正のためのコストを低減しつつ、黒体炉が汚損するおそれを低減することができる。
【００６４】
なお、パッキン７が、蓋体４に取り付けられる例を示したが、パッキン７は、周縁部２３の端面２４に取り付けられていてもよい。また、パッキン７を備えていなくてもよい。また、平坦面Ｆ１の垂線Ｖは、必ずしも傾いている必要はなく、平坦面Ｆ１は、蓋操作棒５や支持棒３の軸線と平行であってもよい。また、把持部３１やハンドル５４が設けられていなくてもよく、ユーザは、支持棒３や蓋操作棒５を直接把持して操作してもよい。また、突条６４を備えない構成であってもよく、付勢部８を備えていなくてもよい。
（第二実施形態）
【００６５】
次に、本考案の第二実施形態に係る放射温度計用校正治具について説明する。図４は、本考案の第二実施形態に係る校正治具１ａの構成の一例を示す斜視図である。図４に示す校正治具１ａと図１、図２に示す校正治具１とでは、下記の点で異なる。すなわち、図４に示す校正治具１ａは、支持部材６１，６２、及びパッキン７を備えず、筒状部材９、ストッパリング１０、及び鍔部１１を備えている。また、蓋操作棒５ａの形状が異なる。
【００６６】
その他の構成は図１に示す校正治具１と同様であるのでその説明を省略し、以下本実施形態の特徴的な点について説明する。
【００６７】
筒状部材９は、支持棒３に対してスライド移動可能に外嵌された、筒状の形状を有する部材である。筒状部材９は、蓋操作棒５ａと連結される連結突起９１，９１を備えている。そして、連結突起９１，９１と蓋操作棒５ａとを貫通するように揺動軸９２が挿通され、筒状部材９と蓋操作棒５ａとが連結されている。これにより、蓋操作棒５ａは、揺動軸９２が挿通された部分、すなわち筒状部材９と連結される連結部を中心に、支持棒３に対して離接方向に揺動可能に連結されている。
【００６８】
これにより、ユーザが筒状部材９を握ってスライド移動させると、筒状部材９のスライド移動と連動して蓋操作棒５ａが支持棒３の軸方向に沿ってスライド移動するようにされている。
【００６９】
蓋操作棒５ａは、蓋体４が取り付けられた一端から、揺動軸９２が挿通された連結部に至る第一軸部５５と、その連結部から蓋体４とは反対側に延びる第二軸部５６とを含んでいる。第二軸部５６は、第一軸部５５の延長線５７に対して、支持棒３から離間する方向に角度Ｒを有している。
【００７０】
これにより、ユーザが筒状部材９を握る際に、第二軸部５６を一緒に握ることで、第二軸部５６が支持棒３方向に押し下げられ、揺動軸９２を支点にして蓋操作棒５ａが回動し、蓋体４が上方に持ち上げられて黒体炉２から離間する。この状態でユーザが第二軸部５６と共に筒状部材９をスライド移動させることによって、蓋体４が開放位置に移動する。この場合、蓋体４と黒体炉２とが、擦れたり干渉したりすることがないので、蓋体４をスムーズに開放位置に移動させることができる。
【００７１】
この構成によれば、平坦面Ｆ１が支持棒３の軸線と平行な構成においても、蓋体４と黒体炉２とが擦れたり干渉したりすることがなく、蓋体４をスムーズに開放位置に移動させることができる。
【００７２】
鍔部１１は、蓋体４の外周に鍔状に設けられている。鍔部１１は、蓋体４を閉塞位置に位置させて開口部２１を塞いだ状態で、蓋操作棒５ａに近づくほど黒体炉２に近づくように傾斜するようにされている。すなわち、黒体炉２の開口部２１側を上に向けたときに、鍔部１１の蓋操作棒５ａ側が低くなるように、鍔部１１が傾斜するようにされている。これにより、炉１００内で蓋体４に上から水滴が落ちた場合であっても、水滴が蓋操作棒５ａ側に流れ落ちるので、黒体炉２内に水滴が落ちるおそれが低減される。
【００７３】
支持棒３の、黒体炉２と支持部材６３との間には、二つのリング状の突条３２，３３が設けられている。そして、突条３２，３３の間にストッパリング１０が取り付けられている。ストッパリング１０は、支持棒３に回動可能に外嵌されたリング部１３と、リング部１３から鉤状に延びる鉤状部１４とを含んでいる。これにより、例えば校正治具１ａを輸送するときなどに、ストッパリング１０を回動させて鉤状部１４を第一軸部５５と係合させることによって、蓋体４がガタついたり振動したりしないように固定することができる。
【符号の説明】
【００７４】
１，１ａ    校正治具（放射温度計用校正治具）
２    黒体炉
３    支持棒
４    蓋体
５，５ａ    蓋操作棒
７    パッキン
９    筒状部材
１０  ストッパリング
１１  鍔部
１３  リング部
１４  鉤状部
２１  開口部
２２  黒体空洞
２３  周縁部
２４  端面
３１  把持部
３２，３３，６４  突条
４１  閉塞面
５１  ストッパ（第一ストッパ）
５２  ストッパ（第二ストッパ）
５４  ハンドル
５５  第一軸部
５６  第二軸部
５７  延長線
６１  支持部材（第一支持部材）
６２  支持部材（第二支持部材）
６３  支持部材
９１，９１  連結突起
９２  揺動軸
１００      炉
１０１      対象物
１０２      散水装置
１０３      窓
６１１      案内孔（第一案内孔）
６２１      案内孔（第二案内孔）
６３１      案内柱
６３２      連結部
Ａ    放射温度計
Ａ１  受光部
Ｆ１  平坦面
Ｒ    角度
Ｖ    垂線
【図１】
0003205727.tif 000003
【図２】
0003205727.tif 000004
【図３】
0003205727.tif 000005
【図４】
0003205727.tif 000006